(57)【要約】【課題】ファントムセルにおけるＣ-ＲＮＴＩｐｈについて、移動局ＵＥを識別した上で割り当てる。【解決手段】本発明に係る移動通信方法は、無線基地局ｅＮＢ＃１配下のセル＃１のカバレッジエリアの少なくとも一部に重複するように、複数のスモールセルを連結して形成されたセル＃１０が設定された場合に、無線基地局ｅＮＢ＃１が、セル＃１において通信中の移動局ＵＥ＃１に対して、「ＲＲＣ  ｃｏｎｎｅｃｔｉｏｎ  ｒｅｃｏｎｆｉｇｕｒａｔｉｏｎ」によって、セル＃１０におけるＣ-ＲＮＴＩｍａｃｒｏを通知する工程と、移動局ＵＥ＃１が、セル＃１におけるＣ-ＲＮＴＩｍａｃｒｏに加えて、セル＃１０におけるＣ-ＲＮＴＩｐｈを設定する工程とを有する。【選択図】図４
2014049795.tif 000002
【特許請求の範囲】
【請求項１】
無線基地局配下のマクロセルのカバレッジエリアの少なくとも一部に重複するように、複数のスモールセルを連結して形成されたファントムセルが設定された場合に、該無線基地局が、該マクロセルにおいて通信中の移動局に対して、コネクション設定変更信号によって、該ファントムセルにおけるセル固有識別子を通知する工程と、
前記移動局が、前記マクロセルにおけるセル固有識別子に加えて、前記ファントムセルにおけるセル固有識別子を設定する工程とを有することを特徴とする移動通信方法。
【請求項２】
無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該無線基地局が、該第１移動局に対して、コネクション設定変更信号によって、該ファントムセルにおけるセル固有識別子を通知する工程と、
前記第１移動局が、前記マクロセルにおけるセル固有識別子に加えて、通知された前記ファントムセルにおけるセル固有識別子を設定する工程とを有することを特徴とする移動通信方法。
【請求項３】
無線基地局配下のマクロセルのカバレッジエリアの少なくとも一部に重複するように、複数のスモールセルを連結して形成されたファントムセルが設定された場合に、該無線基地局と該マクロセルにおいて通信中の移動局との間で、非衝突型ランダムアクセス手順を開始する工程と、
前記非衝突型ランダムアクセス手順において、前記無線基地局が、前記移動局に対して、ランダムアクセス応答信号によって、前記ファントムセルにおけるセル固有識別子を通知する工程と、
前記移動局が、前記マクロセルにおけるセル固有識別子に加えて、前記ファントムセルにおけるセル固有識別子を設定する工程とを有することを特徴とする移動通信方法。
【請求項４】
無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該無線基地局と該第１移動局との間で、非衝突型ランダムアクセス手順を開始する工程と、
前記非衝突型ランダムアクセス手順において、前記無線基地局が、前記第１移動局に対して、ランダムアクセス応答信号によって、前記ファントムセルにおけるセル固有識別子を通知する工程と、
前記第１移動局が、前記マクロセルにおけるセル固有識別子に加えて、通知された前記ファントムセルにおけるセル固有識別子を設定する工程とを有することを特徴とする移動通信方法。
【請求項５】
無線基地局であって、
前記無線基地局配下のマクロセルのカバレッジエリアの少なくとも一部に重複するように、複数のスモールセルを連結して形成されたファントムセルが設定された場合に、該マクロセルにおいて通信中の移動局に対して、コネクション設定変更信号によって、該ファントムセルにおけるセル固有識別子を通知するように構成されている送信部を具備することを特徴とする無線基地局。
【請求項６】
無線基地局であって、
前記無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該第１移動局に対して、コネクション設定変更信号によって、該ファントムセルにおけるセル固有識別子を通知するように構成されている送信部を具備することを特徴とする無線基地局。
【請求項７】
無線基地局であって、
前記無線基地局配下のマクロセルのカバレッジエリアの少なくとも一部に重複するように、複数のスモールセルを連結して形成されたファントムセルが設定された場合に、該無線基地局と該マクロセルにおいて通信中の移動局との間で、非衝突型ランダムアクセス手順を開始し、該非衝突型ランダムアクセス手順において、該移動局に対して、ランダムアクセス応答信号によって、前記ファントムセルにおけるセル固有識別子を通知するように構成されている送信部を具備することを特徴とする無線基地局。
【請求項８】
無線基地局であって、
前記無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該第１移動局との間で、非衝突型ランダムアクセス手順を開始し、該非衝突型ランダムアクセス手順において、該第１移動局に対して、ランダムアクセス応答信号によって、該ファントムセルにおけるセル固有識別子を通知するように構成されている送信部を具備することを特徴とする無線基地局。
【請求項９】
移動局であって、
無線基地局配下のマクロセルのカバレッジエリアの少なくとも一部に重複するように、複数のスモールセルを連結して形成されたファントムセルが設定された場合で、かつ、該マクロセルにおいて通信中である場合に、該無線基地局から、コネクション設定変更信号を介して、該ファントムセルにおけるセル固有識別子を取得するように構成されている受信部と、
前記マクロセルにおけるセル固有識別子に加えて、前記ファントムセルにおけるセル固有識別子を設定するように構成されている設定部とを具備することを特徴とする移動局。
【請求項１０】
移動局であって、
無線基地局配下のマクロセルのカバレッジエリアの少なくとも一部に重複するように、複数のスモールセルを連結して形成されたファントムセルが設定されている場合で、該マクロセルにおいて通信中である場合で、かつ、同一のセル固有識別子が設定されている他の移動局との間の距離が所定閾値よりも短くなった場合に、該無線基地局から、コネクション設定変更信号を介して、該ファントムセルにおけるセル固有識別子を取得するように構成されている受信部と、
前記マクロセルにおけるセル固有識別子に加えて、通知された前記ファントムセルにおけるセル固有識別子を設定するように構成されている設定部とを具備することを特徴とする移動局。
【請求項１１】
移動局であって、
無線基地局配下のマクロセルのカバレッジエリアの少なくとも一部に重複するように、複数のスモールセルを連結して形成されたファントムセルが設定された場合で、かつ、該マクロセルにおいて通信中である場合に、該無線基地局との間で、非衝突型ランダムアクセス手順を開始し、該非衝突型ランダムアクセス手順において、該無線基地局から、ランダムアクセス応答信号を介して、該ファントムセルにおけるセル固有識別子を取得するように構成されている受信部と、
前記マクロセルにおけるセル固有識別子に加えて、前記ファントムセルにおけるセル固有識別子を設定するように構成されている設定部とを具備することを特徴とする移動局。
【請求項１２】
移動局であって、
無線基地局配下のマクロセルのカバレッジエリアの少なくとも一部に重複するように、複数のスモールセルを連結して形成されたファントムセルが設定されている場合で、該マクロセルにおいて通信中である場合で、かつ、同一のセル固有識別子が設定されている他の移動局との間の距離が所定閾値よりも短くなった場合に、該無線基地局との間で、非衝突型ランダムアクセス手順を開始し、該非衝突型ランダムアクセス手順において、該無線基地局から、ランダムアクセス応答信号を介して、該ファントムセルにおけるセル固有識別子を取得するように構成されている受信部と、
前記マクロセルにおけるセル固有識別子に加えて、通知された前記ファントムセルにおけるセル固有識別子を設定するように構成されている設定部とを具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式において、図６に示すように、無線基地局ｅＮＢは、配下のセルにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図６に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００５】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００６】
かかる提案の中で、「ファントムセル（Ｐｈａｎｔｏｍ  ｃｅｌｌ）」に係るコンセプトが検討されている。
【０００７】
図７に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００８】
【非特許文献１】３ＧＰＰ  ＴＳ３６.３００
【発明の概要】
【発明が解決しようとする課題】
【０００９】
ここで、図７に示すように、ファントムセルのカバレッジエリア及びマクロセルのカバレッジエリアの少なくとも一部が重複している環境下において、移動局ＵＥに対して、マクロセルにおけるＣ-ＲＮＴＩｍａｃｒｏに加えて、ファントムセルにおけるＣ-ＲＮＴＩｐｈを割り当てるケースが想定される。
【００１０】
ここで、マクロセルにおけるＣ-ＲＮＴＩｍａｃｒｏは、「Ｃｏｎｔｅｎｔｉｏｎ  ｂａｓｅｄ  ＲＡ（Ｒａｎｄｏｍ  Ａｃｃｅｓｓ）手順」或いはハンドオーバ手順において割り当てられるように構成されている。
【００１１】
しかしながら、既存のＬＴＥ方式では、無線基地局ｅＮＢが、ファントムセルにおけるＣ-ＲＮＴＩｐｈについては、移動局ＵＥを識別した上で割り当てる必要がある。
【００１２】
したがって、ファントムセルにおけるＣ-ＲＮＴＩｐｈは、マクロセルにおけるＣ-ＲＮＴＩｍａｃｒｏと同様に、「Ｃｏｎｔｅｎｔｉｏｎ  ｂａｓｅｄ  ＲＡ手順」において割り当てることは困難であるという問題点があった。
【００１３】
或いは、既存のＬＴＥ方式では、ハンドオーバ手順を起動する場合、データ送受信の瞬断が発生するため、ファントムセルにおけるＣ-ＲＮＴＩｐｈは、マクロセルにおけるＣ-ＲＮＴＩｍａｃｒｏと同様に、ハンドオーバ手順において割り当てることは望ましくないという問題点があった。
【００１４】
そこで、本発明は、上述の課題に鑑みてなされたものであり、ファントムセルにおけるＣ-ＲＮＴＩｐｈについて、移動局を識別した上で割り当てることができる移動通信方法、無線基地局及び移動局を提供することを目的とする。
【課題を解決するための手段】
【００１５】
本発明の第１の特徴は、移動通信方法であって、無線基地局配下のマクロセルのカバレッジエリアの少なくとも一部に重複するように、複数のスモールセルを連結して形成されたファントムセルが設定された場合に、該無線基地局が、該マクロセルにおいて通信中の移動局に対して、コネクション設定変更信号によって、該ファントムセルにおけるセル固有識別子を通知する工程と、前記移動局が、前記マクロセルにおけるセル固有識別子に加えて、前記ファントムセルにおけるセル固有識別子を設定する工程とを有することを要旨とする。
【００１６】
本発明の第２の特徴は、移動通信方法であって、無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該無線基地局が、該第１移動局に対して、コネクション設定変更信号によって、該ファントムセルにおけるセル固有識別子を通知する工程と、前記第１移動局が、前記マクロセルにおけるセル固有識別子に加えて、通知された前記ファントムセルにおけるセル固有識別子を設定する工程とを有することを要旨とする。
【００１７】
本発明の第３の特徴は、移動通信方法であって、無線基地局配下のマクロセルのカバレッジエリアの少なくとも一部に重複するように、複数のスモールセルを連結して形成されたファントムセルが設定された場合に、該無線基地局と該マクロセルにおいて通信中の移動局との間で、非衝突型ランダムアクセス手順を開始する工程と、前記非衝突型ランダムアクセス手順において、前記無線基地局が、前記移動局に対して、ランダムアクセス応答信号によって、前記ファントムセルにおけるセル固有識別子を通知する工程と、前記移動局が、前記マクロセルにおけるセル固有識別子に加えて、前記ファントムセルにおけるセル固有識別子を設定する工程とを有することを要旨とする。
【００１８】
本発明の第４の特徴は、移動通信方法であって、無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該無線基地局と該第１移動局との間で、非衝突型ランダムアクセス手順を開始する工程と、前記非衝突型ランダムアクセス手順において、前記無線基地局が、前記第１移動局に対して、ランダムアクセス応答信号によって、前記ファントムセルにおけるセル固有識別子を通知する工程と、前記第１移動局が、前記マクロセルにおけるセル固有識別子に加えて、通知された前記ファントムセルにおけるセル固有識別子を設定する工程とを有することを要旨とする。
【００１９】
本発明の第５の特徴は、無線基地局であって、前記無線基地局配下のマクロセルのカバレッジエリアの少なくとも一部に重複するように、複数のスモールセルを連結して形成されたファントムセルが設定された場合に、該マクロセルにおいて通信中の移動局に対して、コネクション設定変更信号によって、該ファントムセルにおけるセル固有識別子を通知するように構成されている送信部を具備することを要旨とする。
【００２０】
本発明の第６の特徴は、無線基地局であって、前記無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該第１移動局に対して、コネクション設定変更信号によって、該ファントムセルにおけるセル固有識別子を通知するように構成されている送信部を具備することを要旨とする。
【００２１】
本発明の第７の特徴は、無線基地局であって、前記無線基地局配下のマクロセルのカバレッジエリアの少なくとも一部に重複するように、複数のスモールセルを連結して形成されたファントムセルが設定された場合に、該無線基地局と該マクロセルにおいて通信中の移動局との間で、非衝突型ランダムアクセス手順を開始し、該非衝突型ランダムアクセス手順において、該移動局に対して、ランダムアクセス応答信号によって、前記ファントムセルにおけるセル固有識別子を通知するように構成されている送信部を具備することを要旨とする。
【００２２】
本発明の第８の特徴は、無線基地局であって、前記無線基地局配下のマクロセルのカバレッジエリアの少なくとも一部に重複するように、複数のスモールセルを連結して形成されたファントムセルが設定されている場合で、かつ、同一のセル固有識別子が設定されており該マクロセルにおいて通信中の第１移動局と第２移動局との間の距離が所定閾値よりも短くなった場合に、該第１移動局との間で、非衝突型ランダムアクセス手順を開始し、該非衝突型ランダムアクセス手順において、該第１移動局に対して、ランダムアクセス応答信号によって、該ファントムセルにおけるセル固有識別子を通知するように構成されている送信部を具備することを要旨とする。
【００２３】
本発明の第９の特徴は、移動局であって、無線基地局配下のマクロセルのカバレッジエリアの少なくとも一部に重複するように、複数のスモールセルを連結して形成されたファントムセルが設定された場合で、かつ、該マクロセルにおいて通信中である場合に、該無線基地局から、コネクション設定変更信号を介して、該ファントムセルにおけるセル固有識別子を取得するように構成されている受信部と、前記マクロセルにおけるセル固有識別子に加えて、前記ファントムセルにおけるセル固有識別子を設定するように構成されている設定部とを具備することを要旨とする。
【００２４】
本発明の第１０の特徴は、移動局であって、無線基地局配下のマクロセルのカバレッジエリアの少なくとも一部に重複するように、複数のスモールセルを連結して形成されたファントムセルが設定されている場合で、該マクロセルにおいて通信中である場合で、かつ、同一のセル固有識別子が設定されている他の移動局との間の距離が所定閾値よりも短くなった場合に、該無線基地局から、コネクション設定変更信号を介して、該ファントムセルにおけるセル固有識別子を取得するように構成されている受信部と、前記マクロセルにおけるセル固有識別子に加えて、通知された前記ファントムセルにおけるセル固有識別子を設定するように構成されている設定部とを具備することを要旨とする。
【００２５】
本発明の第１１の特徴は、移動局であって、無線基地局配下のマクロセルのカバレッジエリアの少なくとも一部に重複するように、複数のスモールセルを連結して形成されたファントムセルが設定された場合で、かつ、該マクロセルにおいて通信中である場合に、該無線基地局との間で、非衝突型ランダムアクセス手順を開始し、該非衝突型ランダムアクセス手順において、該無線基地局から、ランダムアクセス応答信号を介して、該ファントムセルにおけるセル固有識別子を取得するように構成されている受信部と、前記マクロセルにおけるセル固有識別子に加えて、前記ファントムセルにおけるセル固有識別子を設定するように構成されている設定部とを具備することを要旨とする。
【００２６】
本発明の第１２の特徴は、移動局であって、無線基地局配下のマクロセルのカバレッジエリアの少なくとも一部に重複するように、複数のスモールセルを連結して形成されたファントムセルが設定されている場合で、該マクロセルにおいて通信中である場合で、かつ、同一のセル固有識別子が設定されている他の移動局との間の距離が所定閾値よりも短くなった場合に、該無線基地局との間で、非衝突型ランダムアクセス手順を開始し、該非衝突型ランダムアクセス手順において、該無線基地局から、ランダムアクセス応答信号を介して、該ファントムセルにおけるセル固有識別子を取得するように構成されている受信部と、前記マクロセルにおけるセル固有識別子に加えて、通知された前記ファントムセルにおけるセル固有識別子を設定するように構成されている設定部とを具備することを要旨とする。
【発明の効果】
【００２７】
以上説明したように、本発明によれば、ファントムセルにおけるＣ-ＲＮＴＩｐｈについて、移動局を識別した上で割り当てることができる移動通信方法、無線基地局及び移動局を提供することができる。
【図面の簡単な説明】
【００２８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】従来技術を説明するための図である。
【図７】従来技術を説明するための図である。
【発明を実施するための形態】
【００２９】
（本発明の第１の実施形態に係る移動通信システム）
図１乃至図５を参照して、本発明の第１の実施形態に係る移動通信システムについて説明する。
【００３０】
図１に示すように、本実施形態に係る移動通信システムは、ＬＴＥ方式の移動通信システムであって、セル＃１０を管理する無線基地局ＰｈＮＢ＃１０と、セル＃１を管理する無線基地局ｅＮＢ＃１と、セル＃２を管理する無線基地局ｅＮＢ＃２と、セル＃３を管理する無線基地局ｅＮＢ＃３と、セル＃４を管理する無線基地局ｅＮＢ＃４と、セル＃５を管理する無線基地局ｅＮＢ＃５とを具備している。
【００３１】
ここで、セル＃１０は、複数のスモールセルを連結して形成されたファントムセルであり、セル＃１〜＃５は、マクロセルである。
【００３２】
図１に示すように、セル＃１０のカバレッジエリア及びセル＃１〜＃５のカバレッジエリアは、少なくとも一部で重なるように配置されている。
【００３３】
なお、本実施形態に係る移動通信システムでは、セル＃１０において、複数の移動局ＵＥに対して、同一のＣ-ＲＮＴＩｐｈを割り当てることができるように構成されている。
【００３４】
一方、本実施形態に係る移動通信システムでは、セル＃１〜＃５において、複数の移動局ＵＥに対して、同一のＣ-ＲＮＴＩｍａｃｒｏを割り当てることができないように構成されている。
【００３５】
本実施形態に係る移動通信システムでは、１つの移動局ＵＥに対して、複数のＣ-ＲＮＴＩ（すなわち、Ｃ-ＲＮＴＩmacro及びＣ-ＲＮＴＩｐｈ）を割り当てることができるように構成されている。
【００３６】
本実施形態では、マクロセルであるセル＃１において通信中の移動局ＵＥ＃１に対してファントムセルであるセル＃１０を追加するケース１や、セル＃１０において通信中の移動局ＵＥ＃２が同一のＣ-ＲＮＴＩ（Ｃ-ＲＮＴＩｍａｃｒｏ＝Ａ及びＣ-ＲＮＴＩｐｈ＝Ｂ）を有する移動局ＵＥ＃５に近づいたケース２を例に挙げて説明する。
【００３７】
無線基地局ｅＮＢ＃１〜ｅＮＢ＃５の構成は、基本的に同一であるため、以下、代表して、無線基地局ｅＮＢの構成として説明する。
【００３８】
図２に示すように、本実施形態に係る無線基地局ｅＮＢ＃１は、受信部１１と、決定部１２と、送信部１３とを具備している。
【００３９】
受信部１１は、セル＃１内の移動局ＵＥや無線基地局ｅＮＢ＃１０/ｅＮＢ＃２〜＃５から各種信号を受信するように構成されており、送信部１３は、セル＃１内の移動局ＵＥや無線基地局ｅＮＢ＃１０/ｅＮＢ＃２〜＃５に対して各種信号を送信するように構成されている。
【００４０】
決定部１２は、ケース１又は２において、移動局ＵＥ＃１〜＃３に対して、セル＃１０におけるＣ-ＲＮＴＩｐｈを新たに割り当てることを決定するように構成されている。
【００４１】
具体的には、決定部１２は、図１に示すように、上述のセル＃１０が設定された場合に（すなわち、ケース１において）、セル＃１において通信中の移動局ＵＥ＃１に対して、セル＃１０におけるＣ-ＲＮＴＩｐｈを割り当てることを決定するように構成されている。
【００４２】
また、決定部１２は、図１に示すように、移動局ＵＥ＃２に対してセル＃１０が設定されている場合で、かつ、同一のＣ-ＲＮＴＩｐｈが設定されておりセル＃４/＃５において通信中の他の移動局ＵＥとの間の距離が所定閾値よりも短くなった場合に（すなわち、ケース２において）、移動局ＵＥ間のＣ-ＲＮＴＩの衝突を回避するために、セル＃４において通信中の移動局ＵＥ＃２に対して、セル＃１０におけるＣ-ＲＮＴＩｐｈを割り当てることを決定するように構成されている。
【００４３】
或いは、決定部１２は、移動局ＵＥ＃３に対して、セル＃１０におけるＣ-ＲＮＴＩｐｈを割り当てることを決定するように構成されていてもよい。
【００４４】
また、かかる場合、決定部１２は、セル＃４において通信中の移動局ＵＥ＃２に対して、セル＃１０におけるＣ-ＲＮＴＩｐｈを割り当てる代わりに、新たにセル＃４におけるＣ-ＲＮＴＩｍａｃｒｏを割り当てることを決定するように構成されていてもよい。
【００４５】
送信部１３は、ケース１又は２において、移動局ＵＥ＃１〜＃３に対して、「ＲＲＣ  ｃｏｎｎｅｃｔｉｏｎ  ｒｅｃｏｎｆｉｇｕｒａｔｉｏｎ」によって、セル＃１０におけるＣ-ＲＮＴＩｐｈ（或いは、セル＃４におけるＣ-ＲＮＴＩｍａｃｒｏ）を通知するように構成されていてもよい。
【００４６】
この時、かかる通知は、ベアラ追加・削除やファントムセルの追加等といった任意の指示を行う「ＲＲＣ  ｃｏｎｎｅｃｔｉｏｎ  ｒｅｃｏｎｆｉｇｕｒａｔｉｏｎ」と同時に通知されてもよい。
【００４７】
或いは、送信部１３は、ケース１又は２において、移動局ＵＥ＃１〜＃３に対して、「Ｎｏｎ-ｃｏｎｔｅｎｔｉｏｎ  ＲＡ手順」において、セル＃１０におけるＣ-ＲＮＴＩｐｈ（或いは、セル＃４におけるＣ-ＲＮＴＩｍａｃｒｏ）を通知するように構成されていてもよい。
【００４８】
本実施形態に係る移動局ＵＥ＃１〜ＵＥ＃３の構成は、基本的に同一であるため、以下、代表して、移動局ＵＥの構成として説明する。
【００４９】
図３に示すように、本実施形態に係る移動局ＵＥは、受信部２１と、設定部２２と、送信部２３とを具備している。
【００５０】
受信部２１は、無線基地局ＰｈＮＢ＃１０/ｅＮＢ＃１/ｅＮＢ＃２/ｅＮＢ＃３から各種信号を受信するように構成されており、送信部２３は、無線基地局ＰｈＮＢ＃１０/ｅＮＢ＃１/ｅＮＢ＃２/ｅＮＢ＃３に対して各種信号を送信するように構成されている。
【００５１】
例えば、受信部２１は、無線基地局ｅＮＢ＃１〜ｅＮＢ＃５から、移動局ＵＥに対して割り当てられたＣ-ＲＮＴＩｐｈやＣ-ＲＮＴＩｍａｃｒｏを受信するように構成されている。
【００５２】
具体的には、受信部２１は、図１に示すように、セル＃１において通信中である場合で、かつ、セル＃１０が設定された場合に（すなわち、ケース１において）、無線基地局ｅＮＢ＃１から、セル＃１０におけるＣ-ＲＮＴＩｐｈを取得するように構成されている。
【００５３】
また、受信部２１は、図１に示すように、セル＃１において通信中である場合で、かつ、同一のＣ-ＲＮＴＩｐｈが設定されている他の移動局ＵＥとの間の距離が所定閾値よりも短くなった場合に（すなわち、ケース２において）、無線基地局ｅＮＢ＃４から、セル＃１０におけるＣ-ＲＮＴＩｐｈを取得するように構成されている。
【００５４】
ここで、受信部２１は、「ＲＲＣ  ｃｏｎｎｅｃｔｉｏｎ  ｒｅｃｏｎｆｉｇｕｒａｔｉｏｎ」を介して、セル＃１０におけるＣ-ＲＮＴＩｐｈを取得するように構成されていてもよいし、「Ｎｏｎ-ｃｏｎｔｅｎｔｉｏｎ  ＲＡ手順」において受信する「ＲＡ  ｒｅｓｐｏｎｓｅ」を介して、セル＃１０におけるＣ-ＲＮＴＩｐｈを取得するように構成されていてもよい。
【００５５】
設定部２２は、受信部２１によって「ＲＲＣ  ｃｏｎｎｅｃｔｉｏｎ  ｒｅｃｏｎｆｉｇｕｒａｔｉｏｎ」を介して、或いは、「Ｎｏｎ-ｃｏｎｔｅｎｔｉｏｎ  ＲＡ手順」において取得されたＣ-ＲＮＴＩｐｈを、セル＃１０において移動局ＵＥに割り当てられたＣ-ＲＮＴＩｐｈとして設定するように構成されている。
【００５６】
以下、図４及び図５を参照して、本実施形態に係る移動通信システムの動作について説明する。
【００５７】
第１に、図４を参照して、本実施形態に係る移動通信システムの動作例１について説明する。
【００５８】
図４に示すように、無線基地局ｅＮＢは、ステップＳ１００１において、配下のセルにおいて通信中の移動局ＵＥに対して、ファントムセルを追加することを決定すると、ステップＳ１００２において、かかる移動局ＵＥに対して、かかるファントムセルにおいて移動局ＵＥに割り当てたＣ-ＲＮＴＩｐｈを含む「ＲＲＣ  Ｃｏｎｎｅｃｔｉｏｎ  ｒｅｃｏｎｆｉｇｕｒａｔｉｏｎ」を送信する。
【００５９】
移動局ＵＥは、ステップＳ１００３において、受信した「ＲＲＣ  Ｃｏｎｎｅｃｔｉｏｎ  ｒｅｃｏｎｆｉｇｕｒａｔｉｏｎ」に含まれているＣ-ＲＮＴＩｐｈを、かかるファントムセルにおいて移動局ＵＥに割り当てられたＣ-ＲＮＴＩｐｈとして設定し、ステップＳ１００４において、無線基地局ｅＮＢに対して、「ＲＲＣ  Ｃｏｎｎｅｃｔｉｏｎ  ｒｅｃｏｎｆｉｇｕｒａｔｉｏｎ  ｃｏｍｐｌｅｔｅ」を送信する。
【００６０】
かかる「ＲＲＣ  Ｃｏｎｎｅｃｔｉｏｎ  ｒｅｃｏｎｆｉｇｕｒａｔｉｏｎ」には、割り当てられるＣ-ＲＮＴＩｐｈに関連付けられたセルの識別子或いは当該セルの識別子を払いだした無線基地局ｅＮＢの識別子が含まれてもよい。
【００６１】
第２に、図５を参照して、本実施形態に係る移動通信システムの動作例１について説明する。
【００６２】
図５に示すように、無線基地局ｅＮＢは、ステップＳ２００１において、配下のセルにおいて通信中の移動局ＵＥに対して、ファントムセルを追加することを決定すると、ステップＳ２００２において、かかる移動局ＵＥとの間で「Ｎｏｎ-ｃｏｎｔｅｎｔｉｏｎ  ＲＡ手順」を開始するために、かかる移動局ＵＥに対して、「ＰＤＣＣＨ  ｏｒｄｅｒ」を送信する。
【００６３】
ステップＳ２００３において、移動局ＵＥは、無線基地局ｅＮＢに対して、「ＲＡ  ｐｒｅａｍｂｌｅ」を送信する。  
ステップＳ２００４において、無線基地局ｅＮＢは、移動局ＵＥに対して、「ｔｅｍｐｏｒｅａｒｙ  Ｃ-ＲＮＴＩ」として、ファントムセルにおいて移動局ＵＥに割り当てたＣ-ＲＮＴＩｐｈを含む「ＲＡ  ｒｅｓｐｏｎｓｅ」を送信する。
【００６４】
移動局ＵＥは、ステップＳ２００５において、従来は破棄していた「ＲＡ  ｒｅｓｐｏｎｓｅ」に含まれている「ｔｅｍｐｏｒｅａｒｙ  Ｃ-ＲＮＴＩ」を、かかるファントムセルにおいて移動局ＵＥに割り当てられたＣ-ＲＮＴＩｐｈとして設定し、ステップＳ２００６において、無線基地局ｅＮＢに対して、「ＭＳＧ３（「ＲＡ  ｒｅｓｐｏｎｓｅ」で指示された「ＵＬ  ｇｒａｎｔ」に対応するＰＵＳＣＨ）」を送信する。
【００６５】
かかる非衝突型ＲＡ手順は、移動局ＵＥが接続している任意のセルで実施されてもよい。また、各ステップが異なるセルで実施されてもよい。
【００６６】
ここで、無線基地局ｅＮＢは、「ＰＤＣＣＨ  ｏｒｄｅｒ」や「ＲＡ  ｒｅｓｐｏｎｓｅ」等において、ファントムセルにおいて移動局ＵＥに新たにＣ-ＲＮＴＩｐｈ割り当てた旨を通知してもよい。
【００６７】
かかる構成によれば、無線基地局ｅＮＢが、「ＲＲＣ  ｃｏｎｎｅｃｔｉｏｎ  ｒｅｃｏｎｆｉｇｕｒａｔｉｏｎ」や「Ｎｏｎ-ｃｏｎｔｅｎｔｉｏｎ  ＲＡ手順」を用いて、配下のセルにおいて通信中の移動局ＵＥに対して、ファントムセルにおいて移動局ＵＥに新たに割り当てたＣ-ＲＮＴＩｐｈを通知することができるので、ケース１やケース２において、特定の移動局ＵＥを認識した上で、Ｃ-ＲＮＴＩｐｈを割り当てることができ、また、ハンドオーバ手順に伴うデータ送受信の瞬断を回避することができる。
【００６８】
以上に述べた本実施形態の特徴は、以下のように表現されていてもよい。
【００６９】
本実施形態の第１の特徴は、移動通信方法であって、無線基地局ｅＮＢ＃１配下のセル＃１（マクロセル）のカバレッジエリアの少なくとも一部に重複するように、複数のスモールセルを連結して形成されたセル＃１０（ファントムセル）が設定された場合に、無線基地局ｅＮＢ＃１が、セル＃１において通信中の移動局ＵＥ＃１に対して、「ＲＲＣ  ｃｏｎｎｅｃｔｉｏｎ  ｒｅｃｏｎｆｉｇｕｒａｔｉｏｎ（コネクション設定変更信号）」によって、セル＃１０におけるＣ-ＲＮＴＩｍａｃｒｏ（セル固有識別子）を通知する工程と、移動局ＵＥ＃１が、セル＃１におけるＣ-ＲＮＴＩｍａｃｒｏに加えて、セル＃１０におけるＣ-ＲＮＴＩｐｈ（セル固有識別子）を設定する工程とを有することを要旨とする。
【００７０】
本実施形態の第２の特徴は、移動通信方法であって、無線基地局ｅＮＢ＃１配下のセル＃１のカバレッジエリアの少なくとも一部に重複するように、複数のスモールセルを連結して形成されたセル＃１０が設定されている場合で、かつ、同一のＣ-ＲＮＴＩｍａｃｒｏ/Ｃ-ＲＮＴＩｐｈが設定されておりセル＃４/＃５において通信中の移動局ＵＥ＃２（第１移動局）と移動局ＵＥ＃３（第２移動局）との間の距離が所定閾値よりも短くなった場合に、無線基地局ｅＮＢ＃４が、移動局ＵＥ＃２に対して、「ＲＲＣ  ｃｏｎｎｅｃｔｉｏｎ  ｒｅｃｏｎｆｉｇｕｒａｔｉｏｎ」によって、セル＃１０におけるＣ-ＲＮＴＩｐｈを通知する工程と、移動局ＵＥ＃２が、セル＃４におけるＣ-ＲＮＴＩｍａｃｒｏに加えて、通知されたセル＃１０におけるＣ-ＲＮＴＩｐｈを設定する工程とを有することを要旨とする。
【００７１】
本実施形態の第３の特徴は、移動通信方法であって、無線基地局ｅＮＢ＃１配下のセル＃１（マクロセル）のカバレッジエリアの少なくとも一部に重複するように、複数のスモールセルを連結して形成されたセル＃１０（ファントムセル）が設定された場合に、無線基地局ｅＮＢ＃１とセル＃１において通信中の移動局ＵＥ＃１との間で、「Ｎｏｎ-ｃｏｎｔｅｎｔｉｏｎ  ＲＡ手順（非衝突型ランダムアクセス手順）」を開始する工程と、「Ｎｏｎ-ｃｏｎｔｅｎｔｉｏｎ  ＲＡ手順」において、無線基地局ｅＮＢ＃１が、移動局ＵＥ＃１に対して、「ＲＡ  ｒｅｓｐｏｎｓｅ（ランダムアクセス応答信号）」によって、セル＃１０におけるＣ-ＲＮＴＩｐｈを通知する工程と、移動局ＵＥ＃１が、セル＃１におけるＣ-ＲＮＴＩｍａｃｒｏに加えて、セル＃１０におけるＣ-ＲＮＴＩｐｈを設定する工程とを有することを要旨とする。
【００７２】
本実施形態の第４の特徴は、移動通信方法であって、無線基地局ｅＮＢ＃１配下のセル＃１のカバレッジエリアの少なくとも一部に重複するように、複数のスモールセルを連結して形成されたセル＃１０が設定されている場合で、かつ、同一のＣ-ＲＮＴＩｍａｃｒｏ/Ｃ-ＲＮＴＩｐｈが設定されておりセル＃４/＃５において通信中の移動局ＵＥ＃２と移動局ＵＥ＃３との間の距離が所定閾値よりも短くなった場合に、無線基地局ｅＮＢ＃４と移動局ＵＥ＃２との間で、「Ｎｏｎ-ｃｏｎｔｅｎｔｉｏｎ  ＲＡ手順」を開始する工程と、「Ｎｏｎ-ｃｏｎｔｅｎｔｉｏｎ  ＲＡ手順」において、無線基地局ｅＮＢ＃４が、移動局ＵＥ＃２に対して、「ＲＡ  ｒｅｓｐｏｎｓｅ」によって、セル＃１０におけるＣ-ＲＮＴＩｐｈを通知する工程と、移動局ＵＥ＃２が、セル＃４におけるＣ-ＲＮＴＩｍａｃｒｏに加えて、通知されたセル＃１０におけるＣ-ＲＮＴＩｐｈを設定する工程とを有することを要旨とする。
【００７３】
本実施形態の第５の特徴は、無線基地局ｅＮＢ＃１であって、無線基地局ｅＮＢ＃１配下のセル＃１のカバレッジエリアの少なくとも一部に重複するように、複数のスモールセルを連結して形成されたセル＃１０が設定された場合に、セル＃１において通信中の移動局ＵＥ＃１に対して、「ＲＲＣ  ｃｏｎｎｅｃｔｉｏｎ  ｒｅｃｏｎｆｉｇｕｒａｔｉｏｎ」によって、セル＃１０におけるＣ-ＲＮＴＩｐｈを通知するように構成されている送信部１３を具備することを要旨とする。
【００７４】
本実施形態の第６の特徴は、無線基地局ｅＮＢ＃４であって、無線基地局ｅＮＢ＃４配下のセル＃４のカバレッジエリアの少なくとも一部に重複するように、複数のスモールセルを連結して形成されたセル＃１０が設定されている場合で、かつ、同一のＣ-ＲＮＴＩｍａｃｒｏ/Ｃ-ＲＮＴＩｐｈが設定されておりセル＃４/＃５において通信中の移動局ＵＥ＃２と移動局ＵＥ＃３との間の距離が所定閾値よりも短くなった場合に、移動局ＵＥ＃２に対して、「ＲＲＣ  ｃｏｎｎｅｃｔｉｏｎ  ｒｅｃｏｎｆｉｇｕｒａｔｉｏｎ」によって、セル＃１０におけるＣ-ＲＮＴＩｐｈを通知するように構成されている送信部１３を具備することを要旨とする。
【００７５】
本実施形態の第７の特徴は、無線基地局ｅＮＢ＃１であって、無線基地局ｅＮＢ＃１配下のセル＃１のカバレッジエリアの少なくとも一部に重複するように、複数のスモールセルを連結して形成されたセル＃１０が設定された場合に、無線基地局ｅＮＢ＃１とセル＃１において通信中の移動局ＵＥ＃１との間で、「Ｎｏｎ-ｃｏｎｔｅｎｔｉｏｎ  ＲＡ手順」を開始し、「Ｎｏｎ-ｃｏｎｔｅｎｔｉｏｎ  ＲＡ手順」において、移動局ＵＥ＃１に対して、「ＲＡ  ｒｅｓｐｏｎｓｅ」によって、セル＃１０におけるＣ-ＲＮＴＩｐｈを通知するように構成されている送信部１３を具備することを要旨とする。
【００７６】
本実施形態の第８の特徴は、無線基地局ｅＮＢ＃４であって、無線基地局ｅＮＢ＃４配下のセル＃４のカバレッジエリアの少なくとも一部に重複するように、複数のスモールセルを連結して形成されたセル＃１０が設定されている場合で、かつ、同一のＣ-ＲＮＴＩｍａｃｒｏ/Ｃ-ＲＮＴＩｐｈが設定されておりセル＃４/＃５において通信中の移動局ＵＥ＃２と移動局ＵＥ＃３との間の距離が所定閾値よりも短くなった場合に、移動局ＵＥ＃２との間で、「Ｎｏｎ-ｃｏｎｔｅｎｔｉｏｎ  ＲＡ手順」を開始し、「Ｎｏｎ-ｃｏｎｔｅｎｔｉｏｎ  ＲＡ手順」において、移動局ＵＥ＃２に対して、「ＲＡ  ｒｅｓｐｏｎｓｅ」によって、セル＃１０におけるＣ-ＲＮＴＩｐｈを通知するように構成されている送信部１３を具備することを要旨とする。
【００７７】
本実施形態の第９の特徴は、移動局ＵＥ＃１であって、無線基地局ｅＮＢ＃１配下のセル＃１のカバレッジエリアの少なくとも一部に重複するように、複数のスモールセルを連結して形成されたセル＃１０が設定された場合で、かつ、セル＃１において通信中である場合に、無線基地局ｅＮＢ＃１から、「ＲＲＣ  ｃｏｎｎｅｃｔｉｏｎ  ｒｅｃｏｎｆｉｇｕｒａｔｉｏｎ」を介して、セル＃１０におけるＣ-ＲＮＴＩｐｈを取得するように構成されている受信部２１と、セル＃１におけるＣ-ＲＮＴＩｍａｃｒｏに加えて、セル＃１０におけるＣ-ＲＮＴＩｐｈを設定するように構成されている設定部２２とを具備することを要旨とする。
【００７８】
本実施形態の第１０の特徴は、移動局ＵＥ＃２であって、無線基地局ｅＮＢ＃４配下のセル＃４のカバレッジエリアの少なくとも一部に重複するように、複数のスモールセルを連結して形成されたセル＃１０が設定されている場合で、セル＃４において通信中である場合で、かつ、同一のＣ-ＲＮＴＩｍａｃｒｏ/Ｃ-ＲＮＴＩｐｈが設定されている他の移動局ＵＥ＃３との間の距離が所定閾値よりも短くなった場合に、無線基地局ｅＮＢ＃４から、「ＲＲＣ  ｃｏｎｎｅｃｔｉｏｎ  ｒｅｃｏｎｆｉｇｕｒａｔｉｏｎ」を介して、セル＃１０におけるＣ-ＲＮＴＩｐｈを取得するように構成されている受信部２１と、セル＃４におけるＣ-ＲＮＴＩｍａｃｒｏに加えて、セル＃１０におけるＣ-ＲＮＴＩｐｈを設定するように構成されている設定部２２とを具備することを要旨とする。
【００７９】
本実施形態の第１１の特徴は、移動局ＵＥ＃１であって、無線基地局ｅＮＢ＃１配下のセル＃１のカバレッジエリアの少なくとも一部に重複するように、複数のスモールセルを連結して形成されたセル＃１０が設定された場合で、かつ、セル＃１において通信中である場合に、無線基地局ｅＮＢ＃１との間で、「Ｎｏｎ-ｃｏｎｔｅｎｔｉｏｎ  ＲＡ手順」を開始し、「Ｎｏｎ-ｃｏｎｔｅｎｔｉｏｎ  ＲＡ手順」において、無線基地局ｅＮＢ＃１から、「ＲＡ  ｒｅｓｐｏｎｓｅ」を介して、セル＃１０におけるＣ-ＲＮＴＩｐｈを取得するように構成されている受信部２１と、セル＃１におけるＣ-ＲＮＴＩｍａｃｒｏに加えて、セル＃１０におけるＣ-ＲＮＴＩｐｈを設定するように構成されている設定部２２とを具備することを要旨とする。
【００８０】
本実施形態の第１２の特徴は、移動局ＵＥ＃２であって、無線基地局ｅＮＢ＃４配下のセル＃４のカバレッジエリアの少なくとも一部に重複するように、複数のスモールセルを連結して形成されたセル＃１０が設定されている場合で、セル＃４において通信中である場合で、かつ、同一のＣ-ＲＮＴＩｍａｃｒｏ/Ｃ-ＲＮＴＩｐｈが設定されている他の移動局ＵＥ＃３との間の距離が所定閾値よりも短くなった場合に、無線基地局ｅＮＢ＃４との間で、「Ｎｏｎ-ｃｏｎｔｅｎｔｉｏｎ  ＲＡ手順」を開始し、「Ｎｏｎ-ｃｏｎｔｅｎｔｉｏｎ  ＲＡ手順」において、無線基地局ｅＮＢ＃４から、「ＲＡ  ｒｅｓｐｏｎｓｅ」を介して、セル＃１０におけるＣ-ＲＮＴＩｐｈを取得するように構成されている受信部２１と、セル＃４におけるＣ-ＲＮＴＩｍａｃｒｏに加えて、セル＃１０におけるＣ-ＲＮＴＩｐｈを設定するように構成されている設定部２２とを具備することを要旨とする。
【００８１】
なお、上述の移動局ＵＥ＃１〜ＵＥ＃３や無線基地局ｅＮＢ＃１〜ｅＮＢ＃５ＰｈＮＢ＃１０の動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃１〜ＵＥ＃３や無線基地局ｅＮＢ＃１〜ｅＮＢ＃５ＰｈＮＢ＃１０内に設けられていてもよい。また、かかる記憶媒体及びプロセッサは、ディスクリートコンポーネントとして移動局ＵＥ＃１〜ＵＥ＃３や無線基地局ｅＮＢ＃１〜ｅＮＢ＃５ＰｈＮＢ＃１０内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
ｅＮＢ＃１〜ｅＮＢ＃５、ＰｈＮＢ＃１０…無線基地局
ＵＥ…移動局
１１、２１…受信部
１２…決定部
１３、２３…送信部
２２…設定部
【図１】
2014049795.tif 000003
【図２】
2014049795.tif 000004
【図３】
2014049795.tif 000005
【図４】
2014049795.tif 000006
【図５】
2014049795.tif 000007
【図６】
2014049795.tif 000008
【図７】
2014049795.tif 000009